(57)【要約】【課題】装置内に重複して存在する比較器と所定値発生回路を除去して低コストの映像信号処理装置を得ること。【解決手段】カラー識別信号をＦＭ復調した信号と所定値発生回路１１にて発生した所定値とを比較器１０により比較し、その比較結果を１Ｈサンプルホールド回路１２により１Ｈ期間遅延して、ラインＩＤ信号を生成し、このラインＩＤ信号とこれを１Ｈサンプルホールド回路３２により１Ｈ期間遅延した信号とを排他的論理和回路３０に入力し、その排他的論理和出力をＳＥＣＡＭ判別信号として用いることにより、ＳＥＣＡＭ方式信号の判別に必要とした所定値発生回路と比較器とを不要にした。【選択図】      図１
2004320181.tif 000002
【特許請求の範囲】
【請求項１】
放送方式を判別すべきカラーテレビジョン放送信号に含まれ当該放送信号を復調して得た色差信号の種類を示すＩＤ信号と、所定値とを比較する比較手段と、
該比較手段の出力を１水平期間（以下、１Ｈと称す）遅延させる第１の１Ｈ遅延手段と、
前記第１の１Ｈ遅延手段の出力を１水平期間遅延させる第２の１Ｈ遅延手段と、
前記第１の１Ｈ遅延手段の出力と前記第２の１Ｈ遅延手段の出力との排他的論理和を、判別した放送方式を示す放送方式判別信号として出力する排他的論理和手段とを備えた、
ことを特徴とする映像信号処理装置。
【請求項２】
請求項１記載の映像信号処理装置において、
前記排他的論理和手段の出力を一定期間積分する積分手段を備えた、
ことを特徴とする映像信号処理装置。
【請求項３】
放送方式を判別すべきカラーテレビジョン放送信号に含まれ当該放送信号を復調して得た色差信号の種類を示すＩＤ信号と、所定値とを比較する比較手段と、
該比較手段の出力を１水平期間遅延させて、ライン毎の色差信号の種類を示す検出ラインＩＤ判別信号を出力する１Ｈ遅延手段と、
仮のラインＩＤ判別信号を生成する仮ラインＩＤ判別信号発生手段と、
該仮ラインＩＤ判別信号発生手段から出力される仮ラインＩＤ判別信号とその逆極性信号とのいずれか一方を選択して得られた信号を、前記復調信号を前記色差信号に分離するのに最終的に使用する最終ラインＩＤ判別信号として出力する選択手段と、
前記１Ｈ遅延手段から出力される検出ラインＩＤ判別信号の極性と前記選択手段から出力される最終ラインＩＤ判別信号の極性とが互いに所定期間異なることを検出する時間フィルタ手段と、
該時間フィルタ手段が所定期間、極性が異なることを検出した場合に出力するＨｉｇｈ／Ｌｏｗ信号に基づいて、前記選択手段の選択する信号を操作する制御信号としてのトグル信号を出力するトグル手段とを備えた、
ことを特徴とする映像信号処理装置。
【請求項４】
請求項３記載の映像信号処理装置において、
前記時間フィルタ手段は、
前記１Ｈ遅延手段が出力する検出ラインＩＤ判別信号と前記選択手段が出力する最終ラインＩＤ判別信号との排他的論理和を出力する排他的論理和手段と、
該排他的論理和手段の後段に所定段互いに直列に接続された複数の１Ｈ遅延手段と、
前記排他的論理和手段および前記複数の１Ｈ遅延手段の各出力の論理積信号を前記トグル手段の入力信号として出力する論理積手段とを備えた、
ことを特徴とする映像信号処理装置。
【発明の詳細な説明】
【０００１】
本発明は、ＶＴＲやテレビ、ＤＶＣレコーダ等においてＳＥＣＡＭ（ＳＥｑｕｅｎｔｉａｌ  Ｃｏｕｌｅｕｒ  Ａ  Ｍｅｍｏｉｒｅ）方式の映像信号を処理する映像信号処理装置に関するものであり、特に、映像信号に重畳されているラインＩＤ信号を用いるラインＩＤ判別回路、および、該ラインＩＤ判別回路と同じラインＩＤ信号を用いる信号方式判別回路の改良を図ったものに関する。
【０００２】
【従来の技術】
現行のカラーテレビジョン放送は輝度信号（Ｙ信号）に色信号（Ｃ信号）が重畳されており、これを例えばＤＶＤレコーダで記録する際には、カラーテレビジョン放送信号をＹ信号とＣ信号（またはＲ−Ｙ信号／Ｂ−Ｙ信号に分離された色差信号）とに分離した後、記録する方式が主に用いられている。
【０００３】
ＳＥＣＡＭ方式のカラー放送は主に欧州の一部や中近東で放送が行われており、ＮＴＳＣ方式やＰＡＬ方式とは特にその色変調方式が異なり、ＮＴＳＣ方式やＰＡＬ方式はこれがＡＭ変調されているのに対してＳＥＣＡＭ方式はＦＭ変調されている。具体的にはＲ−Ｙ信号は搬送周波数が４．４０６２５ＭＨｚでＦＭ変調され、Ｂ−Ｙ信号は搬送周波数が４．２５ＭＨｚでＦＭ変調されており、このＲ−Ｙ信号とＢ−Ｙ信号とが１水平期間毎に交互に送信されている。その送信されている色差信号がＲ−Ｙ信号かＢ−Ｙ信号かを判別するためにカラー識別信号（以下、ＩＤ信号と称す）がライン毎，フィールド毎の２箇所に挿入されている。但しフィールド毎のＩＤ信号は地域によっては取り除かれている場合があるため、受信側で信号処理をする際にはライン毎のＩＤ信号を抜き取ってこれにより色差信号の判別を行うことが多い。
【０００４】
ところで、欧州でＳＥＣＡＭ方式を採用している地域では同時にＰＡＬ方式の映像信号も混在して放送されているために、欧州で用いられるＶＴＲ等の映像機器の多くは放送方式を自動判別する放送方式判別回路を有しており、この放送方式判別回路が放送方式を判別する際にもＩＤ信号が使用されている。
【０００５】
以下では図３ないし図６を用いて、従来のＳＥＣＡＭ色信号処理回路について説明する。図３は特許文献１に示されたＰＡＬ／ＳＥＣＡＭ判別回路を含む、従来のＳＥＣＡＭ色信号処理回路の一例を示している。
【０００６】
図３において、１はテレビジョン信号を復調するＦＭ復調回路、２はその復調信号を１水平期間（以下、１Ｈと称す）遅延する１Ｈ遅延回路、３はＦＭ復調回路１からの復調信号とこれを１Ｈ遅延した信号とを二者択一して出力する選択回路、４は選択回路３のＢ−Ｙ信号を出力する側とは反対側の出力ポートに設けられた掛け算器、５はＦＭ復調回路１の復調信号の中からバースト信号を取り出すバーストゲート回路、１００はバーストゲート回路５で取り出したＩＤ信号に基づき当該ラインがＲ−Ｙ信号かＢ−Ｙ信号かを判別するラインＩＤ判別回路、２００はバーストゲート回路５で取り出したＩＤ信号に基づき入力信号がＳＥＣＡＭ方式の信号か否かを判別するＳＥＣＡＭ判別回路である。
【０００７】
上記ラインＩＤ判別回路１００は、所定値を発生する所定値発生回路１１と、ＩＤ信号と所定値とを比較する比較器１０と、比較器１０の比較結果を１Ｈ期間ホールドする１Ｈサンプルホールド回路１２とから構成されている。また、ＳＥＣＡＭ判別回路２００は、ＩＤ信号をサンプルしこれを１Ｈ期間ホールドした信号を出力する１Ｈサンプルホールド回路２１と、ＩＤ信号とこれを１Ｈ期間ホールドした信号との減算を行う減算器２０と、減算器２０出力の絶対値を出力する絶対値回路２２と、所定値を発生する所定値回路２４と、絶対値回路２２の出力値と所定値とを比較しその比較結果をＳＥＣＡＭ判別信号として出力する比較器２３とから構成されている。
【０００８】
この図３を用いて従来のＳＥＣＡＭ色信号処理回路の動作について説明すると、ＳＥＣＡＭ方式のＣ信号（図４（ａ）参照）がＦＭ復調回路１に入力されてＦＭ復調される（図４（ｂ）参照）。ＦＭ復調された色差信号は１水平期間毎にＲ−Ｙ信号とＢ−Ｙ信号とが交互に現れる信号として得られる。次に選択回路３にＦＭ復調回路１からの出力と、ＦＭ復調回路１の出力を１水平期間分遅延する１Ｈ遅延回路２からの出力とを入力する。また、バーストゲート回路５はＦＭ復調回路１の復調信号のバックポーチ部分、即ち、水平帰線消去期間中の同期信号から後の部分、に挿入されているＩＤ信号を抜き取り、ラインＩＤ判別回路１００とＳＥＣＡＭ判別回路２００とに出力する。選択回路３はラインＩＤ判別回路１００から出力されるラインＩＤ信号（図４（ｃ）参照）に基づきＦＭ復調された色差信号とこれを１Ｈ期間遅延した信号とを二者択一し、該色差信号を、Ｒ−Ｙ信号とＢ−Ｙ信号とに分離する。
【０００９】
図４に示すように、Ｂ−Ｙ信号（ｄ）はラインＩＤ信号（ｃ）がＬｏｗレベルの時にはＦＭ復調回路１からの出力を選択することで得られ、ラインＩＤ信号（ｃ）がＨｉｇｈレベルの時には１Ｈ遅延回路２からの出力を選択することで得られる。逆にＲ−Ｙ信号（ｅ）はラインＩＤ信号（ｃ）がＨｉｇｈレベルの時にはＦＭ復調回路１からの出力を選択することで得られ、ラインＩＤ信号（ｃ）がＬｏｗレベルの時には１Ｈ遅延回路２からの出力を選択することで得られる。その際、Ｂ−Ｙ信号は選択回路３の出力がそのまま出力されるが、Ｒ−Ｙ信号は予め逆極性で送信されているため、掛け算器４で−１を乗算することでその極性を戻して出力される。
【００１０】
次にラインＩＤ判別回路１００の動作を図３及び図５を用いて説明する。
ＳＥＣＡＭ方式信号のＩＤ信号はＲ−Ｙ信号送信時は４．４０６２５ＭＨｚの周波数をもつ信号が、Ｂ−Ｙ信号送信時は４．２５ＭＨｚの周波数をもつ信号が、それぞれ挿入されている。従ってこの部分をＦＭ復調すると常にＲ−Ｙ信号部分のＩＤ信号はＢ−Ｙ信号部分のＩＤ信号よりも大きい値となる。このため、バーストゲート回路５の出力信号（図５（ｂ）参照）と所定値発生回路１１からの所定値とを比較器１０で比較することで、これらを判別することが可能になる。この所定値として、例えば４．４０６２５ＭＨｚと４．２５ＭＨｚとの中間値である４．３２８ＭＨｚがＦＭ復調されたときの値、を設定すると、比較器１０はＲ−Ｙ信号送信時ではＨｉｇｈ信号、Ｂ−Ｙ信号送信時ではＬｏｗ信号をそれぞれ出力する（図５（ｃ）参照）。次に１Ｈサンプルホールド回路１２で、図５の（ｄ）のようなＬｏａｄ／Ｈｏｌｄタイミング信号によって比較器１０出力をホールドすることにより、Ｒ−Ｙ信号の期間ではＨｉｇｈ信号、Ｂ−Ｙ信号の期間ではＬｏｗ信号となるラインＩＤ判別信号（図５（ｅ）参照）を出力することが出来る。
【００１１】
次にＳＥＣＡＭ判別回路２００の動作を図３及び図６を用いて説明する。
入力信号がＳＥＣＡＭ方式の場合はバーストゲート回路５から出力されるＩＤ信号は１Ｈ毎に４．４０６２５ＭＨｚ，４．２５ＭＨｚの周波数がＦＭ復調された値が交互に出力される（図６（ａ）参照）。減算器２０においてバーストゲート回路５から出力されるＩＤ信号とこれを１Ｈサンプルホールド回路２１で１Ｈ遅延させたＩＤ信号との差分を取り、絶対値回路２２でその絶対値を取ると図６の（ｂ）のような信号が得られる。これを比較器２３で所定値発生回路２４からの所定値と比較する。このように入力信号がＳＥＣＡＭ方式の場合には比較器２３の出力値が全て所定値よりも大（Ｈｉｇｈ）となる。これによりＳＥＣＡＭ判別回路２００はＨｉｇｈを出力することが出来る。
【００１２】
次に入力信号がＰＡＬ方式の場合について説明する。ＰＡＬ方式では、ＳＥＣＡＭ方式のＩＤ信号が挿入されている箇所にはバースト信号と呼ばれる色副搬送波周波数である４．４３ＭＨｚの周波数信号が挿入されている。ＰＡＬ方式信号が入力された場合にはバーストゲート回路５より出力されるＩＤ信号は４．４３ＭＨｚの周波数がＦＭ復調された値が出力される（図６（ｃ）参照）。更に絶対値回路２２の出力は図６の（ｄ）のような信号となり、常に所定値以下になるので、比較器２３の結果は全て所定値よりも小（Ｌｏｗ）となる。これによりＳＥＣＡＭ判別回路２００はＬｏｗを出力することが出来る。
【００１３】
このようにＳＥＣＡＭ判別回路は、入力信号がＳＥＣＡＭ方式の場合にはＨｉｇｈを出力し、それ以外の放送方式が入力された場合にはＬｏｗを出力する。
【００１４】
【特許文献１】
特開平２−２８８４８９号公報（第３頁、図１）
【００１５】
【発明が解決しようとする課題】
このように、従来のＳＥＣＡＭ色信号処理回路は、カラー識別信号に基づいて、受信した放送がＳＥＣＡＭ方式か否かの判定を行うことができる。
【００１６】
しかしながらこの従来のＳＥＣＡＭ色信号処理回路では、そのラインＩＤ判別回路およびＳＥＣＡＭ判別回路の両者に、それぞれ比較器、１Ｈサンプルホールド回路、所定値発生回路という同様の回路があり、その分コスト高となっている。またラインＩＤ判別回路はノイズや弱電界時には誤判別をし易いという課題があった。
【００１７】
本発明は上記課題に鑑みてなされたものであり、回路規模を縮小でき、コストを低減することが可能なＳＥＣＡＭ色信号処理回路を有する映像信号処理装置を提供することを目的とする。
また、ノイズ発生時や弱電界時でも放送方式の誤判別を少なくできるラインＩＤ判別回路を有する映像信号処理装置を提供することを目的とする。
【００１８】
【課題を解決するための手段】
上記課題を解決するため、本発明の請求項１に係る映像信号処理装置は、放送方式を判別すべきカラーテレビジョン放送信号に含まれ当該放送信号を復調して得た色差信号の種類を示すＩＤ信号と、所定値とを比較する比較手段と、該比較手段の出力を１水平期間（以下、１Ｈと称す）遅延させる第１の１Ｈ遅延手段と、前記第１の１Ｈ遅延手段の出力を１水平期間遅延させる第２の１Ｈ遅延手段と、前記第１の１Ｈ遅延手段の出力と前記第２の１Ｈ遅延手段の出力との排他的論理和を、判別した放送方式を示す放送方式判別信号として出力する排他的論理和手段とを備えた、ことを特徴とするものである。
【００１９】
また、本発明の請求項２に係る映像信号処理装置は、請求項１記載の映像信号処理装置において、前記排他的論理和手段の出力を一定期間積分する積分手段を備えた、ことを特徴とするものである。
【００２０】
また、本発明の請求項３に係る映像信号処理装置は、放送方式を判別すべきカラーテレビジョン放送信号に含まれ当該放送信号を復調して得た色差信号の種類を示すＩＤ信号と、所定値とを比較する比較手段と、該比較手段の出力を１水平期間遅延させて、ライン毎の色差信号の種類を示す検出ラインＩＤ判別信号を出力する１Ｈ遅延手段と、仮のラインＩＤ判別信号を生成する仮ラインＩＤ判別信号発生手段と、該仮ラインＩＤ判別信号発生手段から出力される仮ラインＩＤ判別信号とその逆極性信号とのいずれか一方を選択して得られた信号を、前記復調信号を前記色差信号に最終的に分離するのに使用する最終ラインＩＤ判別信号として出力する選択手段と、前記１Ｈ遅延手段から出力される検出ラインＩＤ判別信号の極性と前記選択手段から出力される最終ラインＩＤ判別信号の極性とが互いに所定期間異なることを検出する時間フィルタ手段と、該時間フィルタ手段が所定期間、極性が異なることを検出した場合に出力するＨｉｇｈ／Ｌｏｗ信号に基づいて、前記選択手段の選択する信号を操作する制御信号としてのトグル信号を出力するトグル手段とを備えた、ことを特徴とするものである。
【００２１】
また、本発明の請求項４に係る映像信号処理装置は、請求項３記載の映像信号処理装置において、前記時間フィルタ手段は、前記１Ｈ遅延手段が出力する検出ラインＩＤ判別信号と前記選択手段が出力する最終ラインＩＤ判別信号との排他的論理和を出力する排他的論理和手段と、該排他的論理和手段の後段に所定段互いに直列に接続された複数の１Ｈ遅延手段と、前記排他的論理和手段および前記複数の１Ｈ遅延手段の各出力の論理積信号を前記トグル手段の入力信号として出力する論理積手段とを備えた、ことを特徴とするものである。
【００２２】
【発明の実施の形態】
以下、本発明の実施の形態について説明する。
（実施の形態１）
図１は本発明の実施の形態１における、ＳＥＣＡＭ色信号処理回路を有する映像信号処理装置の構成を示す図であり、これは請求項１，２の発明に対応するものである。
【００２３】
図１において、本実施の形態１における映像信号処理装置は、テレビジョン信号を復調するＦＭ復調回路１と、その復調信号を１Ｈ期間遅延する第１の１Ｈ遅延回路２と、ＦＭ復調回路１からの復調信号とこれを１Ｈ遅延した信号とを二者択一して出力する選択回路３と、選択回路３のＢ−Ｙ信号を出力する側とは反対側の出力ポートに設けられた掛け算器４と、ＦＭ復調回路１からの復調信号の中からバースト信号を取り出すバーストゲート回路５と、バーストゲート回路５で取り出したＩＤ信号に基づき当該ラインがＲ−Ｙ信号かＢ−Ｙ信号かを判別するラインＩＤ判別回路１００と、ラインＩＤ判別回路１００の判別結果に基づき入力信号がＳＥＣＡＭ方式の信号か否かを判別するＳＥＣＡＭ判別回路３００とから構成されている。
【００２４】
また、上記ラインＩＤ判別回路１００は、所定値を発生する所定値発生回路１１と、ＩＤ信号と所定値とを比較する比較器（比較手段）１０と、比較器１０の比較結果を１Ｈ期間ホールドする１Ｈサンプルホールド回路（第１の１Ｈ遅延手段）１２とから構成されている。また、上記ＳＥＣＡＭ判別回路３００は、ＩＤ判別回路１００の判別結果を１Ｈ期間ホールドする第２の１Ｈサンプルホールド回路（第２の１Ｈ遅延手段）３２と、ＩＤ判別回路１００の判別結果と第２の１Ｈサンプルホールド回路３２の出力信号との排他的論理和をとるライン排他的論理和回路（排他的論理和手段）３０と、ライン排他的論理和回路３０の出力信号を積分する積分回路３１とから構成されている。
【００２５】
以上のように構成された、本実施の形態１における映像信号処理装置のＳＥＣＡＭ色信号処理回路の動作について説明する。但し、従来例と同じ動作をする回路の説明はここでは省略する。
【００２６】
ＳＥＣＡＭ方式の信号が入力されている場合には従来例の動作で説明したように、第１の１Ｈサンプルホールド回路１２の出力信号は図７（ｃ）のように１Ｈ毎に反転している。この信号を第２の１Ｈサンプルホールド回路３２で更に１Ｈ遅延させると図７（ｄ）のように第１の１Ｈサンプルホールド回路１２の出力信号の逆極性信号が得られる。この２つの信号を排他的論理和回路３０で排他的論理和を取ると常にＨｉｇｈの信号が出力される。
【００２７】
これに対し、ＰＡＬ方式の信号が入力されている場合には、図８（ｃ）と図８（ｄ）のように第１の１Ｈサンプルホールド回路１２の出力信号および第２の１Ｈサンプルホールド回路３２の出力信号は、常にＨｉｇｈの値が出力されている。これら２つの信号を排他的論理和回路３０で排他的論理和を取ると常にＬｏｗの信号が出力される。従って、排他的論理和回路３０の出力をＳＥＣＡＭ判別信号として用いることができ、従来のＳＥＣＡＭ判別回路で必要としていた、比較器，所定値発生回路を削減でき、その回路規模を縮小してコストダウンを達成することができる。
【００２８】
ところで、この排他的論理和回路３０の出力をそのままＳＥＣＡＭ判別信号として使用すると、例えば入力信号が弱電界の信号やＶＴＲ等の映像劣化した信号の場合にはバーストゲート回路５から出力されるＩＤ信号が劣化するために頻繁に誤判別が生じる。
【００２９】
これを防止するために、本実施の形態１では、排他的論理和回路３０の出力に積分回路３１を設けている。積分回路３１はＩＤ信号が挿入されている有効ラインにおいて、排他的論理和回路３０からの出力結果を例えば１フレーム期間カウントしてその結果が積分回路３１に内蔵している或るスレッショルド値（以下、スレッシュ値と称す）以上であればＳＥＣＡＭ信号として、逆にその結果がスレッシュ値以下であればＰＡＬ信号として、その放送方式を判断するものである。
【００３０】
具体的には、例えば、排他的論理和回路３０の出力をカウントするライン数を１フレームの有効画素ラインと同じ５７６ラインとした場合、入力信号が映像劣化のないものとすると、ＳＥＣＡＭ方式の場合には１フレーム後の積分値は５７６となり、ＰＡＬ方式の場合はその積分値は０となる。そのためＳＥＣＡＭ信号であると判断するスレッシュ値を例えば２８８（＝５７６÷２）にしてＳＥＣＡＭ判別信号を出力するようにすればよい。
【００３１】
これによりＳＥＣＡＭ判別回路３００から出力されるＳＥＣＡＭ判別信号は、入力信号がＳＥＣＡＭ方式の場合にはＨｉｇｈが出力され、ＳＥＣＡＭ方式でない場合にはＬｏｗが出力されるので、ＳＥＣＡＭ判別回路３００はその入力信号が弱電界の信号や映像劣化した信号等であっても、その方式がＳＥＣＡＭ方式であるか否かを正しく判別することが出来る。
【００３２】
このように、本実施の形態１によれば、ラインＩＤ判別回路１００の判別出力自体とこれを１Ｈ期間ホールドした信号との排他的論理和を積分した信号を放送方式の判別信号として得るようにしたので、ＳＥＣＡＭ方式の場合は排他的論理和の入力が互いに逆極性となり、ＰＡＬ方式の場合は排他的論理和の入力が常にＨｉｇｈとなるので、ＳＥＣＡＭ判別回路の側に、ラインＩＤ判別回路と同様の比較器、所定値発生器が不要となり、回路規模を縮小でき、ＰＡＬ方式とＳＥＣＡＭ方式との判別が低コストで可能なＳＥＣＡＭ色信号処理回路を得ることができる。また、入力信号が弱電界の信号やＶＴＲ等の映像劣化した信号の場合等であってもその誤判定を抑えることが可能となる。
【００３３】
（実施の形態２）
図２は本発明の実施の形態２における、ＳＥＣＡＭ色信号処理回路を有する映像信号処理装置の構成を示す図であり、これは請求項３，４の発明に対応するものである。
【００３４】
図２において、本実施の形態２における映像信号処理装置は、実施の形態１と同様のＦＭ復調回路１と、第１の１Ｈ遅延回路２と、選択回路３と、掛け算器４と、バーストゲート回路５と、ラインＩＤ判別回路１００と、ＳＥＣＡＭ判別回路３００とに加え、ラインＩＤ判別信号の誤判別を防止する誤判別防止回路４００を更に有する。
【００３５】
上記ラインＩＤ判別回路１００は、実施の形態１と同様の比較器１０と、所定値発生回路１１と、１Ｈサンプルホールド回路１２とから構成され、上記ＳＥＣＡＭ判別回路３００は、実施の形態１と同様の排他的論理和回路３０と、積分回路３１と、第２の１Ｈサンプルホールド回路３２とから構成されている。
【００３６】
また、誤判別防止回路４００は、仮のラインＩＤ信号である仮ラインＩＤ信号を発生する仮ラインＩＤ発生回路（仮ラインＩＤ判別信号発生手段）４０と、仮ラインＩＤ信号を反転する反転回路４１と、仮ラインＩＤ信号とその反転信号とのいずれかを選択する選択回路（選択手段）４２と、選択回路４２の制御信号としてのトグル信号を発生するトグル回路（トグル手段）４３と、１Ｈサンプルホールド回路１２の出力信号の極性と選択回路４２の出力信号の極性とが所定期間異なることを検出する時間フィルタ（時間フィルタ手段）５０とにより構成されている。
【００３７】
この時間フィルタ５０は、選択回路４２の出力信号と１Ｈサンプルホールド回路１２の出力信号との排他的論理和を出力する排他的論理和回路（排他的論理和手段）４５と、排他的論理和回路４５の後段に互いに直列に接続された１Ｈサンプルホールド回路（１Ｈ遅延手段）４６，４７，４８と、排他的論理和回路４５および１Ｈサンプルホールド回路４６，４７，４８の各出力の論理積を出力する論理積回路（論理積手段）４４とにより構成されている。
【００３８】
以上のように構成された本実施の形態２における映像信号処理装置のＳＥＣＡＭ色信号処理回路の動作について、図２，図９および図１０を用いて説明する。但し、実施の形態１と同じ動作をする回路についてはその説明を省略する。また、ラインＩＤ検出回路１００の出力信号はライン毎の色差信号の種類を示す検出ラインＩＤ判別信号、選択回路４２の出力信号はＦＭ復調回路１の復調信号を色差信号に分離するのに最終的に用いる最終ラインＩＤ判別信号となっている。
【００３９】
仮ラインＩＤ発生回路４０は例えばＰＬＬ回路等により構成され、その動作開始からフリーランで１Ｈ毎に反転する仮ラインＩＤ信号を生成する。選択回路４２は仮ラインＩＤ発生回路４０の出力信号又は反転回路４１からのその反転信号のいずれかを、トグル回路４３の出力信号の値に応じて選択し、その選択した信号を最終ラインＩＤ判別信号として選択回路３に出力し、ＦＭ復調回路１の出力信号をＲ−Ｙ信号とＢ−Ｙ信号とに分離する選択回路３の選択動作を制御する。トグル回路４３はその入力信号がＨｉｇｈからＬｏｗへ、またはＬｏｗからＨｉｇｈに変化したときに、出力信号を反転するように動作する。
【００４０】
次にラインＩＤ検出回路１００において、ノイズ等の要因により１ＨのみラインＩＤを誤判別したときの動作について説明する。ここでは説明の簡略化のために仮ラインＩＤ発生回路４０の出力信号が検出ラインＩＤ判別信号とタイミングが同期しているものとする。
【００４１】
まず、図９におけるＡポイントにおいて、ラインＩＤ検出回路１００から出力される検出ラインＩＤ判別信号が誤判別をしたとする。すなわち、図９（ａ）に示すようにＡポイントにおいてＨｉｇｈであるべき検出ラインＩＤ判別信号がノイズ等の影響によりＬｏｗになったとする。このとき検出ラインＩＤ判別信号の極性と最終ラインＩＤ判別信号の極性とが互いに逆極性になるために排他的論理和回路４５の出力はＨｉｇｈになる。しかし１Ｈサンプルホールド回路４６，４７，４８の出力信号は図９の（ｂ）〜（ｅ）のようになり、互いにＨｉｇｈの期間が重複しないため、論理積回路４４の出力はＬｏｗのままであり、トグル回路４３の出力に変化は生じず、選択回路４２は仮ラインＩＤ発生回路４０の出力を選択したままであり、これを最終ラインＩＤ判別信号として出力する。そのため、最終ラインＩＤ判別信号はＡポイントにおける誤判別の影響を受けない。
【００４２】
次に入力信号の切り替わり等により検出ラインＩＤ判別信号の位相が逆位相になったときの動作を説明する。図９（ａ）に示すようにＢポイントにおいて検出ラインＩＤ判別信号の位相が１８０度変化したとする。このとき検出ラインＩＤ判別信号と最終ラインＩＤ判別信号の極性がＢポイント以降ずっと逆極性になるために排他的論理和回路４５の出力信号はＨｉｇｈになる。このため１Ｈサンプルホールド回路４６，４７，４８の出力信号は図９の（ｃ）〜（ｅ）のようになり、全ての１Ｈサンプルホールド回路４６，４７，４８の出力信号がＨｉｇｈとなるＣポイントで論理積回路４４の出力がＨｉｇｈに変化し、トグル回路４３の出力がＨｉｇｈとなり、選択回路４２は反転回路４１側の入力を選択することとなり、最終ラインＩＤ判別信号を、入力信号のＩＤ位相と同位相となるように変化させることが出来る。
【００４３】
これにより、ノイズ等の要因による誤判別を防止することが出来、また入力信号が切り替わっても正常な最終ラインＩＤ判別信号を出力することが出来る。
【００４４】
このように、本実施の形態２によれば、最終ラインＩＤ判別信号の極性と検出ラインＩＤ判別信号の極性とが一定期間異なったことを確認した後に、最終ラインＩＤ判別信号を極性反転するようにするようにしたので、検出ラインＩＤ判別信号がノイズ等の影響によりその値や位相に変化が生じたとしても、これによる影響を排除でき、正常な最終ラインＩＤ判別信号を出力することが出来る。
【００４５】
従って、この正常な最終ラインＩＤ判別信号を選択回路３の制御信号として用いることにより、選択回路３はＦＭ復調回路１の復調出力とこれを１Ｈ遅延した信号とを正しく選択することができ、ノイズ等の影響を受けることなくＦＭ復調回路１の復調出力を正しくＲ−Ｙ信号とＢ−Ｙ信号とに分離することが可能となる。
【００４６】
なお、本実施の形態２では、時間フィルタを４ライン期間としている。しかし、図８の（ａ）のように入力信号が弱電界等により４ライン期間連続して誤検出した場合に応答期間が長くなる。トグル回路４３は応答期間は動作しないために最終ラインＩＤ判別信号が図８の（ｇ）のように４ライン期間連続して誤動作してしまう。そのために時間フィルタの期間は、実機の回路においては、２ライン〜４ライン期間が適切であり、これより長い時間フィルタを用いると連続した誤動作期間が長くなるために却って画質の品位が低下する。
【００４７】
【発明の効果】
以上のように、本発明の請求項１に係る映像信号処理装置によれば、放送方式を判別すべきカラーテレビジョン放送信号に含まれ当該放送信号を復調して得た色差信号の種類を示すＩＤ信号と、所定値とを比較する比較手段と、該比較手段の出力を１水平期間（以下、１Ｈと称す）遅延させる第１の１Ｈ遅延手段と、前記第１の１Ｈ遅延手段の出力を１水平期間遅延させる第２の１Ｈ遅延手段と、前記第１の１Ｈ遅延手段の出力と前記第２の１Ｈ遅延手段の出力との排他的論理和を、判別した放送方式を示す放送方式判別信号として出力する排他的論理和手段とを備えるようにしたので、従来ラインＩＤ判別回路とＳＥＣＡＭ判別回路のそれぞれに用いられていた比較器、所定値発生回路を一つにまとめることが出来、信号方式の判別が低コストで可能になる効果がある。
【００４８】
また、本発明の請求項２に係る映像信号処理装置によれば、請求項１記載の映像信号処理装置において、前記排他的論理和手段の出力を一定期間積分する積分手段を備えるようにしたので、入力信号が弱電界の信号やＶＴＲ等の映像劣化した信号の場合などでも、信号方式の誤判別を抑えることが可能となる効果がある。
【００４９】
また、本発明の請求項３に係る映像信号処理装置によれば、放送方式を判別すべきカラーテレビジョン放送信号に含まれ当該放送信号を復調して得た色差信号の種類を示すＩＤ信号と、所定値とを比較する比較手段と、該比較手段の出力を１水平期間遅延させて、ライン毎の色差信号の種類を示す検出ラインＩＤ判別信号を出力する１Ｈ遅延手段と、仮のラインＩＤ判別信号を生成する仮ラインＩＤ判別信号発生手段と、該仮ラインＩＤ判別信号発生手段から出力される仮ラインＩＤ判別信号とその逆極性信号とのいずれか一方を選択して得られた信号を、前記復調信号を前記色差信号に分離するのに最終的に使用される最終ラインＩＤ判別信号として出力する選択手段と、前記１Ｈ遅延手段から出力される検出ラインＩＤ判別信号の極性と前記選択手段から出力される最終ラインＩＤ判別信号の極性とが互いに所定期間異なることを検出する時間フィルタ手段と、該時間フィルタ手段が所定期間、極性が異なることを検出した場合に出力するＨｉｇｈ／Ｌｏｗ信号に基づいて、前記選択手段の選択する信号を操作する制御信号としてのトグル信号を出力するトグル手段とを備え、ＦＭ復調された信号をＲ−Ｙ信号とＢ−Ｙ信号とに分離するのに最終的に使用する最終ラインＩＤ判別信号の極性と、ライン毎に検出されるラインＩＤ判別信号を検出ラインＩＤ判別信号の極性とが一定期間異なったことを確認した後に、最終ラインＩＤ判別信号の極性を反転するようにしたので、ノイズや弱電界時におけるラインＩＤの誤判別を防止することが出来る効果がある。
【００５０】
さらに、本発明の請求項４に係る映像信号処理装置によれば、請求項３記載の映像信号処理装置において、前記時間フィルタ手段は、前記１Ｈ遅延手段が出力する検出ラインＩＤ判別信号と前記選択手段が出力する最終ラインＩＤ判別信号との排他的論理和を出力する排他的論理和手段と、該排他的論理和手段の後段に所定段互いに直列に接続された複数の１Ｈ遅延手段と、前記排他的論理和手段および前記複数の１Ｈ遅延手段の各出力の論理積信号を前記トグル手段の入力信号として出力する論理積手段とを備えるようにしたので、ＦＭ復調された信号をＲ−Ｙ信号とＢ−Ｙ信号とに分離するのに最終的に使用する最終ラインＩＤ判別信号の極性と、ライン毎に検出されるラインＩＤ判別信号の極性とが一定期間異なったことの確認を、簡単な構成で実現することができる効果がある。
【図面の簡単な説明】
【図１】本発明の実施の形態１によるＳＥＣＡＭ色信号処理回路を示す構成図
【図２】本発明の実施の形態２によるＳＥＣＡＭ色信号処理回路を示す構成図
【図３】従来のＳＥＣＡＭ色信号処理回路を示す構成図
【図４】ＳＥＣＡＭ色信号処理回路の動作を説明するための図
【図５】ラインＩＤ判別回路の動作を説明するための図
【図６】ＳＥＣＡＭ方式判別回路の動作を説明するための図
【図７】ＳＥＣＡＭ信号入力時のＳＥＣＡＭ方式判別回路の動作を説明するための図
【図８】ＰＡＬ信号入力時のＳＥＣＡＭ方式判別回路の動作を説明するための図
【図９】本発明の実施の形態２による誤動作防止回路の動作を説明するための図
【図１０】本発明の実施の形態２による誤動作防止回路の時間フィルタ動作を説明するための図
【符号の説明】
１    ＦＭ復調回路
２    １Ｈ遅延回路
３    選択回路
４    掛け算器
５    バーストゲート回路
１０    比較器
１１    所定値
１２    １Ｈサンプルホールド回路
１００    ラインＩＤ判別回路
２０    除算器
２１    １Ｈサンプルホールド回路
２２    絶対値回路
２３    比較器
２４    所定値
２００    ＳＥＣＡＭ判別回路
３０    排他的論理和回路
３１    積分回路
３２    １Ｈサンプルホールド回路
３００    ＳＥＣＡＭ判別回路
４０    仮ラインＩＤ発生器
４１    反転回路
４２    選択回路
４３    トグル回路
４４    論理積回路
４５    排他的論理和回路
４６、４７、４８    １Ｈサンプルホールド回路
５０    時間フィルタ
４００    誤判別防止回路
【図１】
2004320181.tif 000003
【図２】
2004320181.tif 000004
【図３】
2004320181.tif 000005
【図４】
2004320181.tif 000006
【図５】
2004320181.tif 000007
【図６】
2004320181.tif 000008
【図７】
2004320181.tif 000009
【図８】
2004320181.tif 000010
【図９】
2004320181.tif 000011
【図１０】
2004320181.tif 000012